(57)【要約】【課題】被包装物の良好なディスプレイ性を発現し、被包装物の安定した自立を可能にする。【解決手段】筒状シュリンクフィルム１１が軸線と平行な台紙１２の中心線１４位置に設けられ、台紙には、中心線の両側位置に所定の間隔を持って設けられた２本の折り線１５Ａ，１５Ｂと、中心線側から幅方向外側に向かって傾斜された輪郭形状を有する支持脚部１６Ａ，１６Ｂと、が設けられる。【選択図】図１
2015168446.tif 000002
【特許請求の範囲】
【請求項１】
枚葉の台紙前面に設けられた筒状シュリンクフィルムにより被包装物が保持されるシュリンクフィルム付台紙であって、
前記筒状シュリンクフィルムがその軸線と平行な前記台紙の中心線の位置に設けられ、
前記台紙には、前記中心線の両側位置に所定の間隔を持って設けられた２本の折り線と、前記中心線側からこの中心線と直交する幅方向外側に向かって前記中心線方向における前記台紙の長さ寸法が減少するように傾斜された輪郭形状を有する支持脚部と、が設けられ、
前記折り線から前記台紙の両外側を前記台紙後面側に折り曲げることで、前記台紙下端部となる前記支持脚部によって支持され、前記台紙上端側が下端側よりも前記台紙後面側に傾斜した状態で自立可能なことを特徴とするシュリンクフィルム付台紙。
【請求項２】
前記折り線の前記中心線方向における中間部分には、前記幅方向で前記中心線側に突出する輪郭形状の切り込みが設けられ、
前記折り線から前記台紙の両外側を前記後面側に折り曲げた際に、前記切り込みで囲まれた固定部が前記前面側に突出することを特徴とする請求項１記載のシュリンクフィルム付台紙。
【請求項３】
前記台紙の前記折り線よりも前記幅方向外側位置には、前記幅方向に延在する横切り込みが設けられ、前記折り線が前記横切り込みよりも下側位置に設けられることを特徴とする請求項１または２記載のシュリンクフィルム付台紙。
【請求項４】
前記支持脚部が、前記折り線よりも前記幅方向の前記中心線側に設けられることを特徴とする請求項１から３のいずれか記載のシュリンクフィルム付台紙。
【請求項５】
前記折り線の前記支持脚部側となる端部には、前記折り線端部同士を結ぶように前記幅方向の横折り線が設けられ、前記折り線と前記横折り線との交点から、前記中心線方向の前記支持脚部側に向かうとともに前記幅方向の前記中心線側に向かって傾斜する中傾斜折り線と、前記中心線方向の前記支持脚部側に向かうとともに前記幅方向の前記外側に向かって傾斜する外傾斜折り線とが設けられ、
前記折り線から前記台紙の両外側を前記後面側に折り曲げた際に、前記横折り線と前記中傾斜折り線とで囲まれた部分が、前記台紙における２本の前記折り線間の部分よりも傾斜が大きい傾斜面となることを特徴とする請求項１から４のいずれか記載のシュリンクフィルム付台紙。
【請求項６】
前記中傾斜折り線と前記外傾斜折り線とで囲まれた部分に前記支持脚部が位置することを特徴とする請求項５記載のシュリンクフィルム付台紙。
【請求項７】
前記折り線の前記支持脚部側には、前記折り線の下端から前記幅方向の前記中心線側へと傾斜する傾斜切り込みが設けられ、この傾斜切り込みより前記幅方向外側に前記支持脚部が位置されることを特徴とする請求項１から４のいずれか記載のシュリンクフィルム付台紙。
【発明の詳細な説明】
【技術分野】
【０００１】
本発明はシュリンクフィルム付台紙に係り、特に被包装物そのものでは自立できない形状の被包装物であっても自立可能にできるシュリンクフィルム付台紙に用いて好適な技術に関する。
【背景技術】
【０００２】
表示やデザインを印刷した台紙とともに、商品となる被包装物を、見えるように収納した包装には、熱成形したプラスチックシートに被包装物を収納して、台紙で塞ぐ、ブリスター包装や、台紙の上に被包装物を載せて、上から加熱したフィルムで直接包装する、スキンパックがある。
【０００３】
また、紙、合成樹脂、或いは金属板からなる台紙に被包装物を当接してこれらを、合成樹脂の熱収縮性の皮膜で被覆し、皮膜を過熱して熱収縮せしめ全体を緊密一体的に被着させた、カード包装がある。その一例として、台紙に塗布した粘着剤により熱収縮性チューブ（筒状のシュリンクフィルム）を接着させてシュリンクフィルム付台紙とし、被包装物を収納した状態で、シュリンクフィルムを熱収縮させて、被包装物を台紙に取り付けた包装体が知られている（特許文献１）。
【０００４】
さらに、ブリスターパックに代えたシュリンクフィルム付台紙として、吊り下げ陳列と、商品棚等に自立させた陳列との両方が可能な形態も幾つか提案されている（特許文献２，３）。
【先行技術文献】
【特許文献】
【０００５】
【特許文献１】特開昭４９−３７９６号公報
【特許文献２】特開２０１２ー０２０７６２号公報
【特許文献３】特開２０１２ー０２５４８３号公報
【発明の概要】
【発明が解決しようとする課題】
【０００６】
しかし、シュリンクフィルム付台紙を自立させる際、特許文献２，３の技術であると、直立した状態でしか自立できないが、商品陳列に際してその視認性を向上させるために、商品等を傾けた状態で自立させたいという要求があった。また、特許文献２，３の技術であると、自立させるために台紙の強度を持たせるため、台紙の厚さを一定以上にしなくてはならないが、これをなるべく小さくして、かつ、安定して自立させたいという要求があった。
【０００７】
本発明は、上記の事情に鑑みてなされたもので、被包装物の良好なディスプレイ性を発現し、被包装物の安定した自立を可能にするという目的を達成しようとするものである。
【課題を解決するための手段】
【０００８】
本発明のシュリンクフィルム付台紙は、枚葉の台紙前面に設けられた筒状シュリンクフィルムにより被包装物が保持されるシュリンクフィルム付台紙であって、
前記筒状シュリンクフィルムがその軸線と平行な前記台紙の中心線の位置に設けられ、
前記台紙には、前記中心線の両側位置に所定の間隔を持って設けられた２本の折り線と、前記中心線側からこの中心線と直交する幅方向外側に向かって前記中心線方向における前記台紙の長さ寸法が減少するように傾斜された輪郭形状を有する支持脚部と、が設けられ、
前記折り線から前記台紙の両外側を前記台紙後面側に折り曲げることで、前記台紙下端部となる前記支持脚部によって支持され、前記台紙上端側が下端側よりも前記台紙後面側に傾斜した状態で自立可能なことにより上記課題を解決した。
本発明において、前記折り線の前記中心線方向における中間部分には、前記幅方向で前記中心線側に突出する輪郭形状の切り込みが設けられ、
前記折り線から前記台紙の両外側を前記後面側に折り曲げた際に、前記切り込みで囲まれた固定部が前記前面側に突出することがより好ましい。
本発明は、前記台紙の前記折り線よりも前記幅方向外側位置には、前記幅方向に延在する横切り込みが設けられ、前記折り線が前記横切り込みよりも下側位置に設けられることが可能である。
また、本発明において、前記支持脚部が、前記折り線よりも前記幅方向の前記中心線側に設けられる手段を採用することもできる。
また、前記折り線の前記支持脚部側となる端部には、前記折り線端部同士を結ぶように前記幅方向の横折り線が設けられ、前記折り線と前記横折り線との交点から、前記中心線方向の前記支持脚部側に向かうとともに前記幅方向の前記中心線側に向かって傾斜する中傾斜折り線と、前記中心線方向の前記支持脚部側に向かうとともに前記幅方向の前記外側に向かって傾斜する外傾斜折り線とが設けられ、
前記折り線から前記台紙の両外側を前記後面側に折り曲げた際に、前記横折り線と前記中傾斜折り線とで囲まれた部分が、前記台紙における２本の前記折り線間の部分よりも傾斜が大きい傾斜面となることができる。
本発明においては、前記中傾斜折り線と前記外傾斜折り線とで囲まれた部分に前記支持脚部が位置することが望ましい。
さらに、前記折り線の前記支持脚部側には、前記折り線の下端から前記幅方向の前記中心線側へと傾斜する傾斜切り込みが設けられ、この傾斜切り込みより前記幅方向外側に前記支持脚部が位置されることが可能である。
【０００９】
本発明のシュリンクフィルム付台紙は、枚葉の台紙前面に設けられた筒状シュリンクフィルムにより被包装物が保持されるシュリンクフィルム付台紙であって、
前記筒状シュリンクフィルムがその軸線と平行な前記台紙の中心線の位置に設けられ、
前記台紙には、前記中心線の両側位置に所定の間隔を持って設けられた２本の折り線と、前記中心線側からこの中心線と直交する幅方向外側に向かって前記中心線方向における前記台紙の長さ寸法が減少するように傾斜された輪郭形状を有する支持脚部と、が設けられ、
前記折り線から前記台紙の両外側を前記台紙後面側に折り曲げることで、前記台紙下端部となる前記支持脚部によって支持され、前記台紙上端側が下端側よりも前記台紙後面側に傾斜した状態で自立可能なことにより、枚葉の台紙を折り線から折り曲げるだけで、折り線よりも外側の台紙が後ろに折られて立体に組み立てられるとともに、台紙下端の輪郭形状が傾斜された支持脚部とされていることで、組み立てた状態で台紙下端部の支持脚部が前側から後ろ側に傾斜した２本の線状とされるため、この支持脚部を載置面に当接させるだけで、台紙そのものが上端側が下端側よりも前記台紙後面側に傾斜した状態で自立させることが可能となる。しかも、台紙下端の支持脚部は前後方向にほぼ平行状態として離間した位置で載置面に当接するため、安定して自立させることが可能となる。しかも、台紙が傾斜していることで、この台紙に接着等で設けられた筒状シュリンクフィルムにより保持された被包装物を、その上端側が下端側よりも紙側に傾斜した状態で自立させることが可能となる。これにより、自立できない形状の被包装物であっても安定して自立させることが可能となる。
【００１０】
本発明において、前記折り線の前記中心線方向における中間部分には、前記幅方向で前記中心線側に突出する輪郭形状の切り込みが設けられ、
前記折り線から前記台紙の両外側を前記後面側に折り曲げた際に、前記切り込みで囲まれた固定部が前記前面側に突出することにより、この固定部が筒状シュリンクフィルムにより保持された被包装物に当接して、枚葉の台紙を折り線から折り曲げるだけで、折り線よりも外側の台紙が後ろに折られて立体に組み立てられた状態を維持することができる。これにより、枚葉の台紙を平板状としておく状態と、立体的に組み立てる状態とを容易に選択することができ、搬送時には台紙を平板状として省スペース化を計り、陳列時には立体的に組み立てる状態として視認性を向上することが容易に可能となる。
【００１１】
本発明は、前記台紙の前記折り線よりも前記幅方向外側位置には、前記幅方向に延在する横切り込みが設けられ、前記折り線が前記横切り込みよりも下側位置に設けられることにより、台紙の上側に被包装物の商品アピール用デザイン等を設けることにより、台紙の上側を平板状に自立させた際に、極めて高い視認性を呈することができる。同時に、横切り込みよりも下側の台紙は、上側の台紙よりも幅方向に小さな長さ寸法となるように折り線から折り曲げて立体状に組み立てて自立させることで、充分な強度を保持することが可能となる。
【００１２】
また、本発明において、前記支持脚部が、前記折り線よりも前記幅方向の前記中心線側に設けられることにより、少なくとも、折り線から折り曲げて起立させた際に、支持脚部が台紙の折り線間となる面よりも前側に位置するとともに、台紙の下端部幅方向両外側が後ろ側に位置することで、全体に傾斜した台紙および被包装物を安定して起立させることが可能となる。
【００１３】
また、前記折り線の前記支持脚部側となる端部には、前記折り線端部同士を結ぶように前記幅方向の横折り線が設けられ、前記折り線と前記横折り線との交点から、前記中心線方向の前記支持脚部側に向かうとともに前記幅方向の前記中心線側に向かって傾斜する中傾斜折り線と、前記中心線方向の前記支持脚部側に向かうとともに前記幅方向の前記外側に向かって傾斜する外傾斜折り線とが設けられ、
前記折り線から前記台紙の両外側を前記後面側に折り曲げた際に、前記横折り線と前記中傾斜折り線とで囲まれた部分が、前記台紙における２本の前記折り線間の部分よりも傾斜が大きい傾斜面となることにより、折り線、横折り線、中傾斜折り線、外傾斜折り線によって折り曲げて立体的に組み立てることにより、台紙下部側に切り込みがない状態で台紙下端部における強度の低下を来さずに、安定して自立させることが可能となる。
【００１４】
本発明においては、前記中傾斜折り線と前記外傾斜折り線とで囲まれた部分に前記支持脚部が位置することにより、支持脚部が台紙の折り線間となる面よりも前側に位置するとともに、台紙の下端部幅方向両外側が後ろ側に位置することで、全体に傾斜した台紙および被包装物を安定して起立させることが可能となる。しかも、支持脚部が中傾斜折り線と外傾斜折り線とで囲まれていることで、この支持脚部付近の強度をより一層高めることが可能となる。
【００１５】
さらに、前記折り線の前記支持脚部側には、前記折り線の下端から前記幅方向の前記中心線側へと傾斜する傾斜切り込みが設けられ、この傾斜切り込みより前記幅方向外側に前記支持脚部が位置されることで、前記折り線から前記台紙の両外側を前記後面側に折り曲げた際に、傾斜切り込みより幅方向外側かつ下側の部分が、固定部と同様に、前記前面側に突出する状態となることにより、支持脚部は前後方向にほぼ平行状態として離間した位置で載置面に当接するため、安定して自立させることが可能となる。
【発明の効果】
【００１６】
本発明によれば、傾斜して自立可能なため良好なディスプレイ性を発現し、被包装物の安定した自立を可能にする。本発明によれば、平板状の台紙と組み立てた状態とを選択できるため、嵩張らず、輸送性を向上させることができ、また、材料コストや環境負荷の軽減を図ることができる、という効果を奏することができる。
【図面の簡単な説明】
【００１７】
【図１】本発明に係るシュリンクフィルム付台紙の第１実施形態を示す平面図である。
【図２】本発明に係るシュリンクフィルム付台紙の第１実施形態における組み立て状態を示す斜視図である。
【図３】本発明に係るシュリンクフィルム付台紙の第２実施形態を示す平面図である。
【発明を実施するための形態】
【００１８】
以下、本発明に係るシュリンクフィルム付台紙の第１実施形態を、図面に基づいて説明する。
図１は、本実施形態におけるシュリンクフィルム付台紙を示す平面図であり、図において、符号１０は、シュリンクフィルム付台紙である。
【００１９】
本実施形態のシュリンクフィルム付台紙１０は、図１、図２に示すように、被包装物を包装するシュリンクフィルム（熱収縮性フィルム）１１と、シュリンクフィルム１１が接着部１３によって貼着された台紙１２とから構成される。
【００２０】
シュリンクフィルム１１は筒状とされ、平らなシュリンクフィルムを両側縁が重なるように、筒状に丸めて重なり合った側縁部分を接着して封筒貼りにして、筒状のシュリンクフィルム１１としたものである。筒状のシュリンクフィルム１１は、筒をつぶすように折られている。
【００２１】
シュリンクフィルム１１の材質としては、ポリスチレン、ポリ塩化ビニル、ポリプロピレン、ポリエチレン、或いは、ポリエステル系の樹脂が好ましく用いられる。ポリエステル系の樹脂として、農産物由来の持続可能な素材である、ポリ乳酸を用いることも可能であり、環境に対応した包装として好ましく用いることができる。
シュリンクフィルム１１は、熱で収縮するフィルムであればよく、また、筒としての周方向の収縮が、軸方向の収縮より大きいフィルムが、シュリンク包装を行う際の収縮時に被包装物１００がシュリンクフィルム１１から外れることがないので、本用途には適している。
【００２２】
接着部１３に用いる接着剤には、特許文献１のように粘着剤を用いてもよい。また、ホットメルト接着剤を用いてもよい。特に日の当たる店頭などで、高温に曝されることを考慮すると反応型ホットメルト接着剤が好ましく用いることができる。従来のホットメルト接着剤は、熱可塑性樹脂を成分として、固形のホットメルト接着剤を加熱、融解して塗布し、冷却することにより固化・接着するものであり、耐熱性の点では限界がある。
【００２３】
反応型ホットメルト接着剤は、最初は固形であって、これを加熱溶融させて用いることは、従来の可塑性樹脂のホットメルト接着剤と同じであるが、塗布、冷却後に、反応が進み硬化して、耐熱性などの物性の高い接着性が得られる。ウレタン樹脂を主成分とした反応型ホットメルト接着剤は、加熱溶融により生成されたウレタンプレポリマーが、冷却されると末端イソシアネート基を残した状態で固化し、冷却された後も、空気中や被着材に含まれる水分と末端イソシアネート基が反応し、高分子化が進み、より耐熱性の高い接着性を得ることができる。ウレタン樹脂を主成分とした反応型ホットメルト接着剤は、塗布後に特に硬化を進めるための処理を必要としないので、好ましく用いることができる。
【００２４】
筒状のシュリンクフィルム１１と台紙１２との位置精度や、接着部１３の位置精度が悪いと、所定の位置から左右にずれる恐れも考えられるので、シュリンク時に軟らかくなる熱可塑性樹脂を成分としたホットメルト接着剤を、接着部１３に用いて、シュリンクのときの加熱で、所定の位置になるようにズレを起こさせることもできる。
特に、接着部１３には、ウレタン樹脂を主成分とした反応型ホットメルト接着剤を用いて、しっかりと台紙１２に固定するとともに、左右のズレを起こさせて所定の位置になるようにするのが好ましい。
【００２５】
筒状のシュリンクフィルム１１には、図示しないミシン目線が設けられている。ミシン目線は、シュリンクフィルム１１を切断するための切断補助線であって、シュリンクフィルム１１からチューブ状容器１００を取り出そうとするときに切断される。一般的に、ミシン目線は、列状に並んだ複数の微小な貫通孔から構成されており、例えば、チューブ状容器１００の前方に位置する部分に形成することができる。例えば、筒状シュリンクフィルム１１の上部を残して筒状シュリンクフィルム１１の上下方向に沿って１本のミシン目線を形成できるが、筒状シュリンクフィルム１１の全長にわたって形成されていてもよい。また、ミシン目線は、複数条形成されていてもよい。また、ミシン目線の形成位置は、商品デザイン等を阻害しないよう、チューブ状容器１００の側方、後方接着部１３の両脇位置等に設けるのが好ましい。
【００２６】
台紙１２は、図１に示すように、縦長の略矩形とされる輪郭形状を有する枚葉材からなり、筒状のシュリンクフィルム１１の軸線が台紙１２の縦方向（Ｚ方向）の中心線１４に沿うように設けられた矩形状の接着部１３により台紙１２の前面に貼着されている。この際、シュリンクフィルム１１を筒状とした貼り合わせ部分が接着部１３と一致するように貼着することができる。
本実施形態のシュリンクフィルム付台紙１０に用いる台紙１２には、紙、プラスチックシート、或いは金属板などの板状のものが使用できる。紙としては、厚紙で腰のあるものであれば、特に限定されない。また表面にアルミ蒸着層のあるアルミ蒸着紙なども使用できる。
【００２７】
台紙１２には、図１に示すように、吊り下げ孔１２ａと、折り線１５Ａ，１５Ｂと、支持脚部１６Ａ，１６Ｂと、切り込み１５Ｃ，１５Ｄと、横切り込み１７Ａ，１７Ｂと、横折り線１８と、中傾斜折り線１９Ａ，１９Ｂと、外傾斜折り線１９Ｃ，１９Ｄと、後脚部１６Ｃ，１６Ｄとが形成される。
【００２８】
矩形の台紙１２において、Ｚ方向上側には表示面１２Ａが設けられ、被包装物である商品に関する説明等、所定のデザインが印刷等により形成される。表示面１２ＡのＺ方向上端部近傍でＸ方向（幅方向）の中央部には、吊り下げ孔１２ａが設けられる。この吊り下げ孔１２ａは、店舗などで商品展示台に設けられたフックなどを通して店頭で吊下げ展示できるようになっている。
【００２９】
矩形の台紙１２において、Ｚ方向下側には立体的に折り曲げて組み立てることで、支持脚部１６Ａ，１６Ｂと後脚部１６Ｃ，１６Ｄとにより自立可能とするための折り線・切り込み等が以下のように形成される。
【００３０】
台紙１２の下端部には、中心線１４側からこの中心線１４と直交するＸ方向外側に向かって中心線方向（Ｚ方向）における台紙１２の長さ寸法が減少するように傾斜された輪郭形状を有する支持脚部１６Ａ，１６Ｂが設けられる。
【００３１】
支持脚部１６Ａ，１６Ｂは、少なくとも折り線１５Ａ，１５ＢよりもＸ方向の中心線１４側位置に設けられ、矩形状とされる台紙１２の輪郭よりも下側に突出した状態とされる。支持脚部１６Ａ，１６Ｂが矩形状とされる台紙１２の輪郭よりも下側への突出量は、台紙１２の縦方向長さ（全長）に対して、５／１５．５程度にすることができる。
支持脚部１６Ａ，１６Ｂの傾斜としては、支持脚部１６Ａの中央側先端１６Ａａが、外側先端１６Ａｂよりも下側に突出し、これらが矩形とされる台紙１２の輪郭線から下側に突出する量の比は５／２．５程度にすることができ、支持脚部１６Ｂの中央側先端１６Ｂａが、外側先端１６Ｂｂよりも下側に突出し、これらが矩形とされる台紙１２の輪郭線から下側に突出する量の比は５／２．５程度にすることができる。
【００３２】
なお、本実施形態においては、支持脚部１６Ａ，１６Ｂの最下端位置となる中央側先端１６Ａａ，１５Ｂａが折り線１５Ａ，１５ＢよりもＸ方向の中心線１４側位置に設けられ、支持脚部１６Ａ，１６Ｂの突出量が最も少ない上側端部となる外側先端１６Ａｂ，１６Ｂｂが折り線１５Ａ，１５ＢよりもＸ方向の外側位置となるように設けられる。支持脚部１６Ａ，１６ＢのＸ方向寸法は、台紙１２のＸ方向（幅方向）寸法に対して、いずれも、１３．５／６７とすることができる。
支持脚部１６Ａ，１６Ｂに挟まれた部分は、矩形とされる台紙１２の輪郭線を延長した状態とされて、支持脚部１６Ａ，１６Ｂよりも、Ｙ方向上側に凹んだ状態とされる。
【００３３】
台紙１２における２本の折り線１５Ａ，１５ＢのＸ方向両外側となる折り面部１２Ｄ，１２Ｅの下端部は、後脚部１６Ｃ，１６Ｄとされている。
【００３４】
２本の折り線１５Ａ，１５Ｂは、中心線１４と平行状態とされて、表示面１２Ａより下側で中心線１４の両側位置に所定の間隔を持って設けられる。折り線１５Ａ，１５ＢのＺ方向上側の端部１５Ａａ，１５ＢａはＺ方向に同じ位置とされ、表示面１２Ａの下端位置とされている。２本の折り線１５Ａ，１５Ｂの間隔は、台紙１２のＸ方向（幅方向）寸法に対して、２９／６７とすることができる。
【００３５】
台紙１２において、Ｘ方向で折り線１５Ａ，１５Ｂに挟まれた間となる支持面（面）１２Ｂには、表示面１２Ａから連続した接着部１３が設けられる。なお接着部１３は、支持面（面）１２Ｂのみに設けられることもできる。
【００３６】
折り線１５Ａ，１５ＢのＺ方向における中間部分には、この折り線１５Ａ，１５Ｂと連続するように切り込み１５Ｃ，１５Ｄが設けられている。切り込み１５Ｃ，１５Ｄは、その上端１５Ｃａ，１５Ｄａおよび下端１５Ｃｂ，１５Ｄｂが折り線１５Ａ，１５Ｂに接続されるとともに、Ｘ方向中心線１４側に突出する輪郭形状とされている。具体的には、切り込み１５Ｃ，１５Ｄは、円弧状とされる。切り込み１５Ｃ，１５Ｄの突出量は、Ｘ方向における折り線１５Ａと中心線１４との距離の半分よりも小さく設定されることができ、例えば、Ｘ方向における折り線１５Ａと中心線１４との距離の１２／２９に設定されることができる。
【００３７】
切り込み１５Ｃ，１５Ｄで囲まれた固定部１５Ｅ，１５Ｆは、折り線１５Ａ，１５Ｂから山折りにして折り面部１２Ｄ，１２Ｅを後方に向けた際に、台紙１２の厚さ方向（Ｙ方向）前側に突出する。
【００３８】
横切り込み１７Ａ，１７Ｂは、折り線１５Ａ，１５ＢのＺ方向上側の端部１５Ａａ，１５Ｂａに接続されて、折り線１５Ａ，１５ＢよりもＸ方向外側位置としてＸ方向に延在するように設けられる。横切り込み１７Ａ，１７Ｂは、Ｙ方向に幅を持った状態とすることもでき、図示するように、折り線１５Ａ，１５Ｂ側から台紙１２外側に向けて拡幅するように設けることもできる。
【００３９】
横折り線１８は、Ｘ方向に延在するようにＸ方向台紙１２中央に位置するとともに、その両端によって折り線１５Ａ，１５ＢのＺ方向下側の端部１５Ａｂ，１５Ｂｂ同士を結ぶように設けられる。横折り線１８としては、折り線として作用すればよく、本実施形態においては、図に示すように、横折り線１８を切り込みとして形成し、その中央部分が、切り込みの未形成な連続部分とすることもできる。横折り線１８中央の連続部分の長さは、横折り線１８の長さ寸法に対して２／２９程度に設定することができる。さらに、横折り線１８をハーフカットとして形成することもでき、この場合には、連続部分を形成しないようにできる。
【００４０】
中傾斜折り線１９Ａは、折り線１５ＡのＺ方向下側の端部１５Ａｂと横折り線１８との交点から、Ｚ方向下側に向かうとともにＸ方向中心線１４側に向かって傾斜する直線状に設けられるとともに、中傾斜折り線１９Ｂは、折り線１５ＢのＺ方向下側の端部１５Ｂｂと横折り線１８との交点から、Ｚ方向下側に向かうとともにＸ方向中心線１４側に向かって傾斜する直線状に設けられる。
中傾斜折り線１９Ａ，１９Ｂはハーフカットとして形成され、その中央部分が、切り込みの未形成な連続部分とすることもできる。さらに、中傾斜折り線１９Ａ，１９Ｂの両端部分も、切り込みの未形成な連続部分とすることもできる。これにより、切り込みとして形成される横折り線１８との連結部分となる上端１９Ａａ，１９Ｂａおよび台紙１２の輪郭と下端１９Ａｂ，１９Ｂｂでは、折り曲げた際にも台紙が離間せずに強度を維持することができる。
【００４１】
中傾斜折り線１９Ａの上端１９Ａａから下端１９ＡｂまでのＹ方向寸法、および、中傾斜折り線１９Ｂの上端１９Ｂａから下端１９ＢｂまでのＹ方向寸法は、台紙１２のＹ方向（縦方向）寸法に対して、１３／１５５．５とすることができる。
中傾斜折り線１９Ａ，１９Ｂの下端１９Ａｂ，１９Ｂｂが台紙１２の輪郭線と結ぶ位置の間隔は、台紙１２のＸ方向（幅方向）寸法に対して、１０／６７とすることができる。
【００４２】
外傾斜折り線１９Ｃは、折り線１５ＡのＺ方向下側の端部１５Ａｂと横折り線１８との交点から、Ｚ方向下側に向かうとともにＸ方向外側に向かって傾斜する直線状に設けられるとともに、外傾斜折り線１９Ｄは、折り線１５ＢのＺ方向下側の端部１５Ｂｂと横折り線１８との交点から、Ｚ方向下側に向かうとともにＸ方向外側に向かって傾斜する直線状に設けられる。
外傾斜折り線１９Ｃ，１９Ｄは、折り線として形成され、その下端１９Ｃｂ，１９Ｄｂは、支持脚部１６Ａ，１６ＢよりもＸ方向外側位置になるように傾斜される。外傾斜折り線１９Ｃ，１９Ｄの下端１９Ｃｂ，１９Ｄｂが台紙１２の輪郭線と結ぶ位置の間隔は、台紙１２のＸ方向（幅方向）寸法に対して、４８／６７とすることができる。
【００４３】
横折り線１８と中傾斜折り線１９Ａ，１９Ｂとで囲まれた部分が、台紙１２における２本の前記折り線間の支持面（面）１２Ｂよりも傾斜が大きい傾斜面１２Ｃとなる。
また、中傾斜折り線１９Ａと外傾斜折り線１９Ｃとで囲まれた部分に支持脚部１６Ａが位置するとともに、中傾斜折り線１９Ｂと外傾斜折り線１９Ｄとで囲まれた部分に支持脚部１６Ｂが位置するよう設定される。
【００４４】
本実施形態のシュリンクフィルム付台紙１０は、台紙１２の前面に、被包装物としてチューブ状容器１００を包装したシュリンクフィルム１１が接着部１３によって貼着され、チューブ状容器１００の前方を遮ることなく、台紙１２に固定することができる。
【００４５】
本実施形態のシュリンクフィルム付台紙１０において、包装される被包装物の一例としてチューブ状容器１００を図示しているが、被包装物としてはこれに限定されない。
図２に破線により模式的に示すように、チューブ状容器１００は、内容物が充填されている容器本体１０１と、注出部と、注出部に着脱自在に取り付け可能なキャップ部１０２とから構成されており、容器本体１０１およびキャップ部１０２に沿った方向（長手方向）に細長く、前後対称、左右対称の形状を有している。容器本体１０１は、柔軟性のある円筒中空状に形成され、その一端部に注出部が形成され、他端部は熱溶着により偏平状に閉塞されている。キャップ部１０２は、容器本体１０１よりも直径が小さく、先端側に向かって縮径した略円柱形状を有する。なお、シュリンクフィルム付台紙１０において、チューブ状容器１００は、キャップ部１０２を鉛直上方に向け、扁平状他端部が下方に向けて、長手方向が鉛直方向に沿うように支持されている。
【００４６】
また、本実施形態のシュリンクフィルム付台紙１０は、チューブ状容器１００を支持して、載置面２００上に自立させるものである。
載置面２００は、シュリンクフィルム付台紙１０に包装・支持されるチューブ状容器１００を自立させる面であり、例えば、店頭で商品が並べられる一般的な商品棚やテーブル等の平坦な面が例示できる。あるいは、載置面２００は緩やかな曲面や多少の凹凸がある面であってもよい。なお、シュリンクフィルム付台紙１０で包装・自立してディスプレイされるチューブ状容器１００は、載置面２００に接触していてもよいし、非接触であってもよい。
【００４７】
なお、本実施形態では、被包装物１００が保持される側の台紙１２の面を前面として、その厚さ方向（Ｙ方向）に対して、前方および後方と呼称する。また、シュリンクフィルム付台紙１０を自立させた状態においても、シュリンクフィルム付台紙１０の前後に略沿った方向である前後方向をＹ方向、および、鉛直方向に略沿った方向である上下方向をＺ方向、上下方向に略直交する方向である幅方向又は横方向をＸ方向として表現する。また、上下方向および前後方向に沿った長さを単に長さまたは間隔と称し、幅方向又は横方向に沿った長さを幅と称することがある。但し、これらの方向を示す用語は、シュリンクフィルム付台紙１０の構成を説明するために用いるものであって、シュリンクフィルム付台紙１０の構成要素と、方向との関係を限定するものではない。例えば、本実施形態に係るシュリンクフィルム付台紙１０は、台紙１２の後面が商品棚等の前方に向いて陳列されることがあってもよい。
【００４８】
以下、本実施形態のシュリンクフィルム付台紙１０の組み立て方について説明する。
図２は、本実施形態におけるシュリンクフィルム付台紙の組み立て状態を示す斜視図であり、図において、シュリンクフィルム１１は省略してある。
【００４９】
本実施形態のシュリンクフィルム付台紙１０は、被包装物１００が保持された状態で、平板状の台紙１２を折り畳んで立体状に組み立てる。この際、折り線１５Ａ，１５Ｂを山折りに、中傾斜折り線１９Ａ，１９Ｂを山折りに、外傾斜折り線１９Ｃ，１９Ｄを山折りに、横折り線１８を谷折りにする。そして、折り面部１２Ｄ，１２ＥがＹ方向後向きとなった状態で、固定部１５Ｅ，１５Ｆが台紙１２の厚さ方向（Ｙ方向）前側に突出する。
すると、シュリンクフィルム１１に包まれた被包装物１００が接着部１３によって接着しているために、固定部１５Ｅ，１５Ｆが被包装物１００に対して当接し、折り面部１２Ｄ，１２Ｅが前側に移動してしまうことが阻害される。これにより、シュリンクフィルム付台紙１０は、立体状に組み立てられる。
【００５０】
このとき、支持脚部１６Ａの下端と、支持脚部１６Ｂの下端が載置面２００に接触する状態となるとともに、後脚部１６Ｃ，１６Ｄが載置面２００に接触することで、シュリンクフィルム付台紙１０は、載置面２００に自立した状態となる。
支持脚部１６Ａは、中央側先端１６Ａａから外側先端１６Ａｂまでが載置面２００に接触するとともに、支持脚部１６Ｂは、中央側先端１６Ｂａから外側先端１６Ｂｂまでが載置面２００に接触することで、支持脚部１６Ａ，１６Ｂが平行状態として離間した位置となり、安定に自立状態を維持することが可能となる。
【００５１】
これにより、支持面１２Ｂが、Ｚ方向上側に向かってＹ方向後側に傾斜するように位置するとともに、傾斜面１２Ｃが、支持面１２Ｂよりも大きく傾斜する。同時に、支持面１２Ｂと連接した表示面１２Ａも支持面１２Ｂと同じように傾斜する。これにより、表示面１２Ａおよび支持面１２Ｂに接着された被包装物１００が後方に傾いた状態でシュリンクフィルム付台紙１０および被包装物１００を自立させることができる。
また、中傾斜折り線１９Ａと外傾斜折り線１９Ｃとで囲まれた部分が、下側よりも上側がＸ方向よりもＹ方向側の外側に傾くとともに、中傾斜折り線１９Ｂと外傾斜折り線１９Ｄとで囲まれた部分にが、下側よりも上側がＸ方向よりもＹ方向側の外側に傾く。
このとき、シュリンクフィルム付台紙１０および被包装物１００の重心は、Ｙ方向で支持脚部１６Ａ，１６Ｂと後脚部１６Ｃ，１６Ｄとの間に位置する。
【００５２】
本実施形態のシュリンクフィルム付台紙１０は、枚葉の台紙１２を折り線１５Ａ，１５Ｂから折り曲げるだけで、折り線１５Ａ，１５Ｂよりも外側の折り面部１２Ｄ，１２ＥがＹ方向後ろに折られて立体に組み立てられるとともに、支持脚部１６Ａ，１６Ｂの全長が載置面２００に接触することで、組み立てた状態での支持脚部１６Ａ，１６ＢがＹ方向に延在した２本の線状で支持することができるため、この支持脚部１６Ａ，１６Ｂを載置面２００に当接させるだけで、支持面１２Ｂが上端側が下端側よりもＹ方向後ろ側に傾斜した状態で自立させることが可能となる。これにより、表示面１２Ａも支持面１２Ｂが傾斜していることで、この表示面１２Ａおよび支持面１２Ｂに接着部１３によって接着された筒状シュリンクフィルム１１により保持された被包装物１００を、その上端側が下端側よりも後側に傾斜した状態で自立させることが可能となる。これにより、自立できない形状の被包装物であっても安定して自立させることが可能となる。
【００５３】
本実施形態のシュリンクフィルム付台紙１０は、折り線１５Ａ，１５Ｂと、切り込み１５Ｃ，１５Ｄと、横切り込み１７Ａ，１７Ｂと、横折り線１８と、中傾斜折り線１９Ａ，１９Ｂと、外傾斜折り線１９Ｃ，１９Ｄと、を折り曲げて立体とすることで、台紙１２が枚葉の平板状から立体に組み立てることができるので、搬送時には台紙１２を平板状として省スペース化を図り、陳列時には立体的に組み立てる状態として視認性を向上することが容易に可能となる。
【００５４】
以下、本発明に係るシュリンクフィルム付台紙の第２実施形態を、図面に基づいて説明する。
図３は、本実施形態におけるシュリンクフィルム付台紙を示す平面図であり、図において、符号２０は、シュリンクフィルム付台紙である。
【００５５】
本実施形態のシュリンクフィルム付台紙２０が、第1１実施形態と異なるのは、中傾斜切り込み（傾斜切り込み）２９Ａ，２９Ｂに関する点および、固定部２５Ｃ，２５Ｄに関する点、そして、横折り線１８と外傾斜折り線１９Ｃ，１９Ｄとがない点であり、これ以外の対応する構成については、同一の符号を付してその説明を省略得する。
【００５６】
本実施形態のシュリンクフィルム付台紙２０においては、図３に示すように、切り込み２５Ｃ，２５Ｄの形状が円弧ではなく直線を組み合わせた形状とされているがＸ方向中心線１４側に突出する輪郭形状とされて、固定部１５Ｅ，１５Ｆと同様に、固定部２５Ｅ，２５Ｆが折り線１５Ａ，１５Ｂから折った際に、前方に突出するようになっている。
【００５７】
また、横折り線１８と外傾斜折り線１９Ｃ，１９Ｄとが設けられていないとともに、中傾斜折り線１９Ａ，１２９Ｂに代えて、中傾斜切り込み２９Ａ，２９Ｂが設けられ、その下端２９Ａｂ，２９Ｂｂが、Ｚ方向下側に延長された下切り込み２９Ｃ，２９Ｄとして台紙１２の縁部まで連続している。中傾斜切り込み２９Ａ，２９Ｂの上端は、折り線１５Ａ，１５Ｂの下端２９Ａｂ，２９Ｂｂと接続されており、下切り込み（傾斜切り込み）２９Ｃ，２９Ｄは、支持脚部１６Ａ，１６Ｂの内側輪郭線をなしている。また、下切り込み２９Ｃ，２９Ｄの幅方向（Ｘ方向）内側面部２２Ｄは、中傾斜切り込み２９Ａ，２９Ｂの幅方向（Ｘ方向）内側面部２２Ｃおよび支持面１２Ｂと連続しており、同一平面を張るようになっている。支持脚部１６Ａ，１６Ｂは、中傾斜切り込み２９Ａ，２９Ｂおよび下切り込み２９Ｃ，２９Ｄより幅方向外側に位置する。
【００５８】
本実施形態のシュリンクフィルム付台紙２０においては、第１実施形態と同様にして、折り線１５Ａ，１５Ｂを折り曲げて立体とした際には、支持脚部１６Ａ，１６Ｂと折り面部１２Ｄ，１２Ｅが一体となって移動し、支持脚部１６Ａ，１６Ｂが、固定部２５Ｅ，２５Ｆと同様に、同一面とされる内側面部２２Ｄと内側面部２２Ｃと支持面１２Ｂよりも前側位置となり、同時に、折り面部１２Ｄ，１２Ｅの後脚部１６Ｃ，１６Ｄが内側面部２２Ｄと内側面部２２Ｃと支持面１２Ｂよりも後側位置となる。これにより、傾斜状態となった内側面部２２Ｄと内側面部２２Ｃと支持面１２Ｂとを支持可能とできることで、シュリンクフィルム付台紙２０および被包装物１００を後方に傾いた状態で自立させることができる。
【００５９】
本実施形態のシュリンクフィルム付台紙２０においては、前述の第１実施形態と同等の効果を奏するとともに、形成される折り面が少ないため、中傾斜切り込み２９Ａ，２９Ｂ、下切り込み２９Ｃ，２９Ｄ等の位置設定に関する自由度を向上することが可能である。
【００６０】
上述した実施形態においては、接着部１３が台紙１２の中心線１４と一致する構成としたが、これに限られるものではなく、被包装物の形状、あるいはデザイン性を考慮して、接着部１３の中心位置が台紙１２の中心線１４から外れた構成とすることもできる。
【符号の説明】
【００６１】
１０，２０…シュリンクフィルム付台紙
１１…シュリンクフィルム
１２…台紙
１２Ａ…表示面
１２Ｂ…支持面
１２Ｃ…傾斜面
１３…接着部
１４…中心線
１５Ａ，１５Ｂ…折り線
１５Ｃ，１５Ｄ…切り込み
１５Ｅ，１５Ｆ…固定部
１６Ａ，１６Ｂ…支持脚部
１６Ｃ，１６Ｄ…後脚部
１７Ａ，１７Ｂ…横切り込み
１８…横折り線
１９Ａ，１９Ｂ…中傾斜折り線
１９Ｃ，１９Ｄ…外傾斜折り線
２９Ａ，２９Ｂ…中傾斜切り込み
２９Ｃ，２９Ｄ…下切り込み
１００…被包装物
【図１】
2015168446.tif 000003
【図２】
2015168446.tif 000004
【図３】
2015168446.tif 000005